(57)【要約】【課題】光ファイバ心線に接続されたコネクタとの接触で光ファイバ心線が損傷することを防止できる光ファイバ心線用ボビンを得る。【解決手段】ボビン１１の鍔部１１ｂに、ボビン１１の胴部１１ａに巻かれた光ファイバ心線１３の端部に接続したコネクタ１５を埋没可能に収容保持するための凹部１７を設けることで、前記鍔部１１ｂに固定した前記コネクタ１５が光ファイバ心線１３や他のボビン１１等に接触することを回避する。【選択図】　　　　図１
2004043074.tif 000002
【特許請求の範囲】
【請求項１】
光ファイバ心線が巻かれる胴部と、鍔部とを備えた光ファイバ心線用ボビンであって、
前記鍔部に、前記光ファイバ心線の端部に接続したコネクタを埋没可能に収容保持するための凹部を設けたことを特徴とする光ファイバ心線用ボビン。
【請求項２】
前記凹部が、前記鍔部の胴部側の面に形成されたことを特徴とする請求項１に記載の光ファイバ心線用ボビン。
【請求項３】
前記凹部が、前記鍔部の胴部側と反対の面に形成されたことを特徴とする請求項１に記載の光ファイバ心線用ボビン。
【請求項４】
前記凹部が、前記鍔部の外周面に形成されたことを特徴とする請求項１に記載の光ファイバ心線用ボビン。
【請求項５】
前記凹部を、前記各鍔部のそれぞれについて２箇所以上、合計４箇所以上に形成したことを特徴とする請求項２乃至４の何れかに記載の光ファイバ心線用ボビン。
【請求項６】
前記凹部は、ボビン回転時に回転ムラを招く重心位置の偏心を抑えるように配置されていることを特徴とする請求項５に記載の光ファイバ心線用ボビン。
【請求項７】
前記凹部が、前記コネクタに雌雄嵌合する相手側コネクタを埋没可能に収容保持する形状を有することを特徴とする請求項１乃至６の何れかに記載の光ファイバ心線用ボビン。
【発明の詳細な説明】
【０００１】
【発明の属する技術分野】
本発明は、光ファイバ心線が巻かれる胴部と、この胴部の両端に装備されて光ファイバ心線の巻き崩れを防ぐ鍔部とを備えた光ファイバ心線用ボビンに関するものである。
【０００２】
【従来の技術】
線引き処理を経て製造された光ファイバや光ファイバテープは、ボビンに巻かれた状態で、保存される（なお、以下の説明では、光ファイバ及び光ファイバテープの双方を含めて、光ファイバ心線と呼ぶ）。
このボビン１は、図９及び図１０に示すように、光ファイバ心線２が巻かれる胴部１ａと、この胴部１ａの両端に装備されて前記胴部１ａに巻かれた光ファイバ心線２の巻き崩れを防ぐ鍔部１ｂとを備える構造である。
【０００３】
このようにボビン１に巻かれた光ファイバ心線２は、ケーブル化されずに、ボビン１に巻かれた状態のまま、両端にコネクタ４を接続して、伝送実験用ファイバ又は分散補償ファイバ等のモジュールとして利用する場合がある。
【０００４】
このように、ボビン１に巻かれた状態で、両端にコネクタ４を接続した光ファイバ心線２は、保管時や移送時に、コネクタ４がぶらついて邪魔にならないように、図９又は図１１に示すように、コネクタ４を粘着テープ５によって鍔部１ｂに固定した状態にしている。
図９はコネクタ４の固定位置が鍔部１ｂの内面の場合を示し、図１１はコネクタ４の固定位置が鍔部１ｂの外面の場合を示している。
【０００５】
【発明が解決しようとする課題】
ところが、図９に示したように、鍔部１ｂの内面にコネクタ４をテープ止めした場合は、鍔部１ｂの内面から突出したコネクタ４が、胴部１ａに巻かれた光ファイバ心線２に接触して、光ファイバ心線２に損傷を与える虞があった。
また、鍔部１ｂの内面外周部に、コネクタ４を止めるスペースを確保するために、光ファイバ心線２の巻き量が制限されるという問題もあった。
【０００６】
また、図１１に示すように、鍔部１ｂの外面にコネクタ４をテープ止めした場合は、鍔部１ｂの外面に突出したコネクタ４が、他のボビンや梱包用ケースに当たって破損することを防止するため、使用時や保管時にボビン１の周囲に、コネクタ４の接触を避けるクリアランスを確保しなければならず、ボビンの収容スペースをコンパクトにできないという問題があった。
【０００７】
本発明は、前述した問題点に鑑みてなされたものであり、その目的は、胴部に巻かれた光ファイバ心線にコネクタを接続して保存する場合に、コネクタとの接触で光ファイバ心線が損傷することを防止でき、また、コネクタが他のボビンや器物等に接触して破損することも防止でき、更には、ボビンの収容スペースのコンパクト化を図ることもできる光ファイバ心線用ボビンを提供することにある。
【０００８】
【課題を解決するための手段】
上記目的を達成するために、本発明に係る光ファイバ心線用ボビンは、請求項１に記載したように、光ファイバ心線が巻かれる胴部と、鍔部とを備えた光ファイバ心線用ボビンであって、
前記鍔部に、前記光ファイバ心線の端部に接続したコネクタを埋没可能に収容保持するための凹部を設けたことを特徴とする。
【０００９】
このように構成された光ファイバ心線用ボビンにおいては、胴部に巻かれた光ファイバ心線にコネクタを接続して保存する場合に、コネクタをボビンの鍔部に埋没状態で収容できて、コネクタが鍔部の胴部側の面及び鍔部の胴部側と反対の面の何れからも突出しないため、コネクタがボビンの胴部に巻かれている光ファイバ心線に接触して光ファイバ心線を損傷させることを防止でき、また、コネクタが他のボビンや器物等に接触して破損することも防止でき、更には、ボビンの収容スペースのコンパクト化を図ることもできる。
【００１０】
また、請求項２に記載の光ファイバ心線用ボビンは、上記目的を達成するために、請求項１に記載の光ファイバ心線用ボビンにおいて、更に、前記凹部が、前記鍔部の胴部側の面に形成されたことを特徴とするものである。
このように構成された光ファイバ心線用ボビンにおいては、コネクタを鍔部の胴部側の面（内面）にテープ止めした従前の場合に比べて、コネクタがボビンの胴部に巻かれている光ファイバ心線に接触して光ファイバ心線を損傷させることを防止でき、更に、テープ止めのスペースを確保する必要が無くなる分、巻き量を増やすことができる。
【００１１】
また、請求項３に記載の光ファイバ心線用ボビンは、上記目的を達成するために、請求項１に記載の光ファイバ心線用ボビンにおいて、更に、前記凹部が、前記鍔部の胴部側と反対の面に形成されたことを特徴とするものである。
このように構成された光ファイバ心線用ボビンにおいては、コネクタを鍔部の胴部側と反対の面（外面）にテープ止めした場合に比べて、複数の光ファイバ心線用ボビンを近接して収容する場合に、コネクタがそれぞれのボビンの鍔部の外面から突出していないため、ボビン相互間でのコネクタの干渉による破損を防止することができ、また、ボビン間にコネクタの干渉を回避するためのクリアランスを確保する必要が無くなって、収容スペースをコンパクト化することができる。
【００１２】
また、請求項４に記載の光ファイバ心線用ボビンは、上記目的を達成するために、請求項１に記載の光ファイバ心線用ボビンにおいて、更に、前記凹部が、前記鍔部の外周面に形成されたことを特徴とするものである。
このように構成された光ファイバ心線用ボビンにおいては、鍔部の内面や外面に前記凹部を形成する場合と比較して、コネクタと光ファイバ心線との接触回避性能や、コネクタと他のボビンとの接触回避性能を更に向上させることが可能になる。
【００１３】
また、請求項５に記載の光ファイバ心線用ボビンは、上記目的を達成するために、請求項２乃至４の何れかに記載の光ファイバ心線用ボビンにおいて、更に、前記凹部を、前記各鍔部のそれぞれについて２箇所以上、合計４箇所以上に形成したことを特徴とするものである。
前記凹部の装備が一箇所の場合は、コネクタが先端に接続された光ファイバ心線の長さが適切でないと、余剰部分が弛み、光ファイバ心線の巻き緩みの原因になる。しかし、このように構成された光ファイバ心線用ボビンにおいては、使用する凹部を選択することで、光ファイバ心線の余剰長調節を行って、過剰な余剰長の発生を防止し、光ファイバ心線の巻き緩みを防止することができる。
従って、保管時や移送時における光ファイバ心線用ボビンの取り扱い性が向上する。
【００１４】
また、請求項６に記載の光ファイバ心線用ボビンは、上記目的を達成するために、請求項５に記載の光ファイバ心線用ボビンにおいて、更に、前記凹部は、ボビン回転時に回転ムラを招く重心位置の偏心を抑えるように配置されていることを特徴とするものである。
このように構成された光ファイバ心線用ボビンにおいては、凹部の装備によってボビンの重心が偏心することがないため、ボビンの回転時に、回転ムラを抑えた安定した回転ができ、光ファイバ心線の巻き取り時等の高速回転が可能になる。
なお、複数個の凹部の設定のみで偏心が充分に解消できない場合には、コネクタ収容位置と対応した位置の凹部にバランサーとしてのダミーのコネクタを収容させて回転ムラを確実に抑えることもできる。
【００１５】
また、請求項７に記載の光ファイバ心線用ボビンは、上記目的を達成するために、請求項１乃至６の何れかに記載の光ファイバ心線用ボビンにおいて、更に、前記凹部が、前記コネクタに雌雄嵌合する相手側コネクタを埋没可能に収容保持する形状を有することを特徴とするものである。
このように構成された光ファイバ心線用ボビンにおいては、光ファイバ心線に接続したコネクタは、相手側コネクタへの接続と同様の操作で鍔部にしっかりと保持させることができ、コネクタを凹部に固定する際の操作性の向上と、固定強度の向上を図ることができる。
【００１６】
【発明の実施の形態】
以下、本発明に係る光ファイバ心線用ボビンの好適な実施の形態を図面に基づいて詳細に説明する。
図１及び図２は、本発明に係る光ファイバ心線用ボビンの第１の実施の形態を示したものである。
この第１の実施の形態の光ファイバ心線用ボビン１１は、光ファイバ心線１３が巻かれる胴部１１ａと、この胴部１１ａに巻かれた光ファイバ心線１３の巻き崩れを防ぐために前記胴部１１ａの両端に装備された鍔部１１ｂ（図示では片側のみ）とを備え、且つ、それぞれの鍔部１１ｂの内面に、胴部１１ａに巻かれた光ファイバ心線１３の始端および終端に接続されたコネクタ１５を埋没可能に収容保持するための凹部１７を形成している。
【００１７】
本実施の形態の場合、各左右鍔部１１ｂにおける凹部１７の装備数は、１個である。また、この凹部１７は、前記コネクタ１５に雌雄嵌合する相手側コネクタ（図示略）を埋没可能に収容保持する形状の嵌合構造１７ａを有して、該嵌合構造１７ａへの嵌合によりコネクタ１５を保持する。
【００１８】
このように構成された光ファイバ心線用ボビン１１においては、胴部１１ａに巻かれた光ファイバ心線１３にコネクタ１５を接続して保存する場合に、コネクタ１５をボビン１１の鍔部１１ｂに埋没状態で収容でき、コネクタ１５が鍔部１１ｂの内面及び外面の何れからも突出しないため、コネクタ１５がボビン１１の胴部１１ａに巻かれている光ファイバ心線１３に接触して光ファイバ心線１３を損傷させることを防止でき、また、コネクタ１５が他のボビン１１や器物等に接触して破損することも防止でき、更には、ボビン１１の収容スペースのコンパクト化を図ることもできる。
【００１９】
また、コネクタ１５を鍔部１１ｂの内面にテープ止めした従前の場合に比べて、コネクタ１５がボビン１１の胴部１１ａに巻かれている光ファイバ心線１３に接触して光ファイバ心線１３を損傷させることをより確実に防止でき、更に、テープ止めのスペースを確保する必要が無くなる分、巻き量を増やすことができる。
【００２０】
更に、本実施の形態の光ファイバ心線用ボビン１１では、凹部１７には、コネクタ１５に雌雄嵌合する嵌合構造１７ａを装備していて、コネクタ１５は、相手コネクタへの接続と同様の操作で鍔部１１ｂにしっかりと保持させることができ、コネクタ１５を凹部１７に固定する際の操作性の向上と、固定強度の向上を図ることができる。
【００２１】
なお、前記凹部１７の装備位置は、鍔部１１ｂの内面に限らない。
図３及び図４に示すように、凹部１７を鍔部１１ｂの外周面に形成するようにしても良く、更に、図５及び図６に示すように、凹部１７を鍔部１１ｂの外面に装備するようにしても良い。
なお、図３に示すように、凹部１７を鍔部１１ｂの外周面に設けた場合には、コネクタ１５に接続された光ファイバ心線１３の端部を挿通案内する溝１９を、凹部１７に連通して装備しておくと良い。
【００２２】
図５及び図６に示すように、凹部１７を鍔部１１ｂの外面に形成した場合は、コネクタ１５を鍔部１１ｂの外面にテープ止めした場合に比べて、複数の光ファイバ心線用ボビン１１を近接して収容する場合に、それぞれのボビン１１の鍔部１１ｂの外面からコネクタ１５が突出していないため、ボビン１１相互間でのコネクタ１５の干渉による破損を防止することができ、また、複数のボビン１１間にコネクタ１５の相互干渉を回避するためのクリアランスを確保する必要が無くなって、収容スペースをコンパクト化することができる。
【００２３】
また、図３及び図４に示したように、前記凹部１７を、前記鍔部１１ｂの外周面に形成した場合は、鍔部１１ｂの内面や外面に前記凹部１７を形成する場合と比較して、コネクタ１５と光ファイバ心線１３との接触回避性能や、コネクタ１５と他のボビン１１との接触回避性能を更に向上させることが可能になる。
【００２４】
また、凹部１７の装備数は、上記の各実施の形態で示した１個に限らない。
図７及び図８に示すように、凹部１７を、前記各鍔部１１ｂのそれぞれについて２箇所以上、合計４箇所以上に形成するようにしても良い。
図７及び図８に示した例では、各鍔部１１ｂには、内面及び外面のそれぞれに３個ずつ、凹部１７を装備している。
即ち、一つの鍔部１１ｂにおいて、装備した凹部１７は６個であり、両方の鍔部１１ｂでは、合計１２個の凹部１７が形成されている。
【００２５】
しかも、この実施の形態の場合、各鍔部１１ｂ上の複数個の凹部１７は、ボビン回転時に回転ムラを招く重心位置の偏心を抑えるように、ボビンの回転中心に対して均等な位置に、配置を設定している。
【００２６】
一つの鍔部１１ｂに装備する凹部１７が一箇所の場合は、コネクタ１５が先端に接続された光ファイバ心線１３の長さが適切でないと、余剰部分が弛み、光ファイバ心線１３の巻き緩みの原因になる。しかし、このように一つの鍔部１１ｂに複数個の凹部１７を装備しておくと、使用する凹部１７を選択することで、光ファイバ心線１３の余剰長調節を行って、過剰な余剰長の発生を防止し、光ファイバ心線１３の巻き緩みを防止することができる。
従って、保管時や移送時における光ファイバ心線用ボビン１１の取り扱い性が向上する。
【００２７】
また、図７及び図８に示したように、各鍔部１１ｂの複数個の凹部１７は、ボビン回転時に回転ムラを招く重心位置の偏心を抑えるように、各凹部１７相互をボビンの回転中心に対して均等な配置となるように配置しておくと、凹部１７の装備によってボビン１１の重心が偏心することがないため、ボビン１１の回転時に、回転ムラを抑えた安定した回転ができ、光ファイバ心線１３の巻き取り時等の高速回転が可能になる。
しかし、このような複数個の凹部１７の設定のみで回転ムラが充分に抑えられない場合には、コネクタ収容位置と対応した位置の凹部にバランサーとなるダミーのコネクタを収容して回転ムラを確実に抑えることもできる。
【００２８】
なお、本発明は上記実施の形態に限定されるものではなく、発明の趣旨を逸脱しない範囲で適宜の変更が可能である。例えば、上記の各実施の形態では、凹部には、コネクタに雄雌嵌合する嵌合構造が装備されているとしたが、単に凹部の互いに対向する内壁面にそれぞれ突出する微少突起を設け、この微少突起を弾性変形させてコネクタを凹部に収容保持するようにしてもよい。
【００２９】
【発明の効果】
以上に説明したように、請求項１に記載した本発明の光ファイバ心線用ボビンによれば、ボビンの胴部に巻かれた光ファイバ心線にコネクタを接続して保存する場合に、コネクタをボビンの鍔部に埋没状態で収容でき、コネクタが鍔部の内面及び外面の何れからも突出しないため、コネクタがボビンの胴部に巻かれている光ファイバ心線に接触して光ファイバ心線を損傷させることを防止でき、また、コネクタが他のボビンや器物等に接触して破損することも防止でき、更には、ボビンの収容スペースのコンパクト化を図ることもできる。
【００３０】
また、請求項２に記載の光ファイバ心線用ボビンにおいては、コネクタを鍔部の内面にテープ止めした従前の場合に比べて、コネクタがボビンの胴部に巻かれている光ファイバ心線に接触して光ファイバ心線を損傷させることを防止でき、更に、テープ止めのスペースを確保する必要が無くなる分、巻き量を増やすことができる。
【００３１】
また、請求項３に記載の光ファイバ心線用ボビンにおいては、コネクタを鍔部の外面にテープ止めした場合に比べて、複数の光ファイバ心線用ボビンを近接して収容する場合に、コネクタがそれぞれのボビンの鍔部の外面から突出していないため、ボビン相互間でのコネクタの干渉による破損を防止することができ、また、ボビン間にコネクタの干渉を回避するためのクリアランスを確保する必要が無くなって、収容スペースをコンパクト化することができる。
【００３２】
また、請求項４に記載の光ファイバ心線用ボビンにおいては、鍔部の内面や外面に前記凹部を形成する場合と比較して、コネクタと光ファイバ心線との接触回避性能や、コネクタと他のボビンとの接触回避性能を更に向上させることが可能になる。
【００３３】
また、請求項５に記載の光ファイバ心線用ボビンにおいては、使用する凹部を選択することで、光ファイバ心線の余剰長調節を行って、過剰な余剰長の発生を防止し、光ファイバ心線の巻き緩みを防止することができる。
従って、保管時や移送時における光ファイバ心線用ボビンの取り扱い性が向上する。
【００３４】
また、請求項６に記載の光ファイバ心線用ボビンにおいては、凹部の装備によってボビンの重心が偏心することがないため、ボビンの回転時に、回転ムラを抑えた安定した回転ができ、光ファイバ心線の巻き取り時等の高速回転が可能になる。
【００３５】
また、請求項７に記載の光ファイバ心線用ボビンにおいては、光ファイバ心線に接続したコネクタは、相手側コネクタを埋没可能に収容保持する形状を有して鍔部にしっかりと保持させることができ、コネクタを凹部に固定する際の操作性の向上と、固定強度の向上を図ることができる。
【図面の簡単な説明】
【図１】本発明に係る光ファイバ心線用ボビンの第１の実施の形態の要部の斜視図である。
【図２】図１のＡ−Ａ断面図である。
【図３】本発明に係る光ファイバ心線用ボビンの第２の実施の形態の要部の斜視図である。
【図４】図３のＢ−Ｂ断面図である。
【図５】本発明に係る光ファイバ心線用ボビンの第３の実施の形態の要部の斜視図である。
【図６】図５のＣ−Ｃ断面図である。
【図７】本発明に係る光ファイバ心線用ボビンの第４の実施の形態の側面図である。
【図８】図７に示した光ファイバ心線用ボビンの正面図である。
【図９】光ファイバ心線に接続したコネクタを鍔部の内面にテープで固定した従来の光ファイバ心線用ボビンの斜視図である。
【図１０】図９に示した従来の光ファイバ心線用ボビンの正面図である。
【図１１】光ファイバ心線に接続したコネクタを鍔部の外面にテープで固定した従来の光ファイバ心線用ボビンの保管時の正面図である。
【符号の説明】
１１　光ファイバ心線用ボビン
１１ａ　胴部
１１ｂ　鍔部
１３　光ファイバ心線
１５　コネクタ
１７　凹部
１７ａ　嵌合構造
【図１】
2004043074.tif 000003
【図２】
2004043074.tif 000004
【図３】
2004043074.tif 000005
【図４】
2004043074.tif 000006
【図５】
2004043074.tif 000007
【図６】
2004043074.tif 000008
【図７】
2004043074.tif 000009
【図８】
2004043074.tif 000010
【図９】
2004043074.tif 000011
【図１０】
2004043074.tif 000012
【図１１】
2004043074.tif 000013